【事件の表示】
　平成　７年特許願第３４９３８３号「情報処理装置および表示方法」拒絶査定不服審判事件〔平成　９年　６月３０日出願公開、特開平　９−１７１４５０〕について、次のとおり審決する。
【結　論】
　本件審判の請求は、成り立たない。
【理　由】
１．手続の経緯 
　本願は，平成７年１２月２０日の出願であって，平成２０年４月３日付けで拒絶査定がなされ，これに対し，平成２０年５月１２日に拒絶査定に対する審判請求がなされるとともに，平成２０年６月１１日付けで手続補正がなされたが，該手続補正については平成２１年９月１７日付けで補正却下の決定がなされるとともに，同日付けで拒絶理由が通知され，これに対し平成２１年１１月１９日付けで手続補正がなされたものである。 
　
２．本願発明について 
　本願の請求項１〜９に係る発明は，平成２１年１１月１９日付け手続補正書の特許請求の範囲の請求項１〜９に記載された事項により特定されるとおりのものであるところ，請求項９に係る発明（以下，「本願発明」という。）は，以下のとおりのものである。 
 「【請求項９】　情報を表示する端末装置に，前記情報を表示させるための表示方法であって，
　前記端末装置のユーザの個人情報と認証情報を，そのユーザの識別情報に対応付けて記憶手段に登録し，
　前記ユーザの識別情報と認証情報の入力の要求を前記端末装置に送信して，前記端末装置に前記ユーザの識別情報と認証情報を入力するための第１の入力欄を表示させ，
　前記端末装置から前記第１の入力欄に入力された前記ユーザの識別情報と認証情報を取得し，
　その取得した識別情報と認証情報に対応する個人情報を前記記憶手段から取得し，
　前記端末装置からの要求に応じて，商品情報記憶手段に記憶されている商品に関する商品情報，その商品について前記ユーザから投稿されてくる投稿情報，および前記商品を注文するための注文ボタンを含む第１の画面情報を前記端末装置に表示させ，
　前記ユーザによる前記注文ボタンの操作に応じて前記端末装置から前記商品の注文要求を取得した場合，前記商品情報記憶手段から読み出された前記注文要求の対象である商品の商品情報，前記記憶手段から取得された前記ユーザの個人情報，および前記ユーザの識別情報と認証情報を入力するための第２の入力欄を含む第２の画面情報を前記端末装置に表示させる
　ことを特徴とする表示方法。」
　
３．引用例 
　平成２１年９月１７日付け拒絶理由に引用された，本願の出願前に頒布された刊行物である，「愚留目　都亜，インターネットのある暮らし　通販生活編（１），LIFE WITH INTERNET，秋だ！ショッピングだ！インターネット通販大実験，ＩＮＴＥＲＮＥＴ　ｍａｇａｚｉｎｅ Ｎｏ．１０，株式会社インプレス，１９９５年１１月１日，第１０号，ｐ．１５２〜１５７」（以下，「引用例」という。）には，次の技術事項が記載されている。 
（イ）「世界のショッピングモールのサーバーで商品を選んで，クレジットカードの番号を入力するだけで，本当に商品が届くのでしょうか？ご期待ください。」（第１５２頁上段右１〜５行），
　
（ロ）「４番　マイクロソフトのマルチメディアＣＤ−ＲＯＭ　Ｔｈｅ　Ｉｎｔｅｒｎｅｔ　Ｓｈｏｐｐｉｎｇ　Ｎｅｔｗｏｒｋ　http://www0.internet.net/　４つ目のオンラインショッピングはマルチメディアＣＤ−ＲＯＭです。訪れたお店は「Ｔｈｅ　Ｉｎｔｅｒｎｅｔ　Ｓｈｏｐｐｉｎｇ　Ｎｅｔｗｏｒｋ」（ＩＳＮ）で，コンピュータ関係商品の品揃えが豊富なお店です。コンピュータのほかにもステレオやテレビ，ビデオといった電気製品や，花屋さんやステーキ屋さんまで出店しています。とりあえず今回はＣＤ−ＲＯＭを購入することにしました。 
　ＩＳＮで商品を購入するには，ＩＳＮの会員番号を取得しておく必要があります。もちろん，購入しないで情報を検索するだけであれば，会員番号は必要ありません。支払うクレジットカードの情報は，会員申し込みのときに指定します。 
　商品の検索は簡単です。今回の場合，トップページで「ＣＤ−ＲＯＭ」を選ぶと「Ｂｙ Ｃｏｍｐａｎｙ」という会社名がリストされているぺージとなります。ここで欲しいソフトの発売会社を指定して，さらに商品を絞ることができます。またほかに「ＢｙＣａｔｅｇｏｒｙ」というＣＤ−ＲＯＭの分野別リストもあります。最終的に１つの商品に絞り切り，その「Ｓｐｅｃｉｆｉｃａｔｉｏｎｓ」（仕様） を表示させて商品を確認します。似たような商品も多いので，確認は慎重にすべきです。特に，ウィンドウズとマッキントッシュの区別や，ＣＤ−ＲＯＭとフロッピーディスクなどの販売メディアの違いを確認します。 
　問題は送料です。日本への送料の詳細はＷＷＷのぺージには見受けられません。「Ｓｈｉｐｐｉｎｇ Ｉｎｆｏ」ぺージによると，送料が確定し次第，電子メールで知らせてくるとのこと。さていくらとなるのやら。」（第１５６頁全文）
　
（ハ）引用例第１５６頁の「個々の商品の仕様を表示するページでは，どのＯＳに対応しているかを確認することが重要」との説明の付されたウィンドウのウィンドウ内には， 
 「　　　　Netshop　　　　　 Computers　　　　　　 ISN 
 　　　MICROSOFT CONSUMER PRODUCTS-WINE GUIDE 
 　　　　　　　FOR WINDOWS V1.0 
 Our Part Number:　　　　304891 
 Product Description:　　SINGLE ONLINE-DOC 
 Product Category:　　　 SOFTWARE-EDUCATION  EDUTAINMENT SOFTWARE 
 CPU:　　　　　　　　 　 WINDOW 
 Manufacturer:　　　 　 MICROSOFT CONSUMER PRODUCTS 
 Manufacturer Part Number:307-052V100
 Media:　　　　　　 　　 CD-ROM 
 Weight:　　　　　　 　　1.00 lbs 
         OUR PRICE IS:　　　 　　$27.21 
-------------------------------------------------------------------- 
 　　　☆☆☆　［映写機の絵］　［ＯＫのロゴ］ 
 　　　REVIEWS 　　DEMOS 　　　　ORDER NOW 
-------------------------------------------------------------------- 
 　　[CUSTOMER SERVICE][INFO][POWER SEARCH][WHAT'S NEW][DIRECTORY] 
 　　Customer service | Info |Power Search | What's New |Directory 
  
 All contents Copyright (C) 1995 Internet Shopping Network. All Rights Reserved. 
 Click Here for TEXT Only Mode」
　と記載されている（当審注：ページ内に表示された「映写機の絵」及び「ＯＫのロゴ」を［映写機の絵］及び［ＯＫのロゴ］と記載した。また，区切り線を「-------」にて記載した。）。 
（エ）引用例第１５６頁の「注文のページ。送付先の情報や支払いクレジットカードなどの情報は，会員登録したときのものが使われる。表示される送料に関しては，アメリカ国内向けのものであり，日本への送料はこれより高くなる。」との説明が付されたウィンドウのウィンドウ内には「YOUR ORDER WILL NOT BE PROCESSED UNLESS YOU CLICK THE Submit Your Order BUTTON BELOW. 
 Once you submit your order, your credit card will be checked for authorization, and if approved an electronic order will be generated and you will be informed via email. After your order has shipped, your credit card will be charged and you will be informed again by email. At that time we will provide detailed shipping information as well as an estimated arrival date. 
（あなたの注文は，下方の Submit Your Order ボタンをクリックしなければ処理されません。 
 一旦あなたが注文を提出すれば，あなたのクレジットカードが信用照会のためチェックされるでしょう。そして，信用承認された場合，電子的な注文が生成され，あなたは電子メールによって通知されるでしょう。あなたの注文が発送された後，あなたのクレジットカードは課金されるでしょう。そして，電子メールによって再び通知されるでしょう。その時に，私たちは，推定された到着日と同様に，詳細な発送の情報も提供するでしょう。） 
 Ship to: 
 Masanobu Iseri 
 Impress Corp. 
 20 Sanbancho 
 Chiyoda-ku Tokyo 102 
 JAPAN 
 　 
 State sales tax rates; CA,IL,TX:6.25% PA,FL:6% MD:5% NY,GA:4% 
 ---------------------------------------------------------------- 
 QTY　　　　ITEM　　　　　　　　　　　　PRICE　　　　TOATAL 
 1　　WINE GUIDE FOR WINDOWS V1.0 　　$27.21　　　　$27.21 
 　 
 　　　　　　　　　　　　　　　　　　　Subtotal 　　 $27.21 
 　　　　　　　　　　　　　　Shipping(UPS Ground) 　　$3.00 
 　　　　　　　　　　　　　　----------------------------------- 
 　　　　　　　　　　　　　　　　　　Grand Total 　　$30.21 
 　 
 Shipping Method: [UPS Ground-2to 10 days ($3.00)] 
  
 　　　[Recalculate Total]　　　　[Submit Your Order] 
  
 [CUSTOMER SERVICE][INFO][POWER SEARCH][WHAT'S NEW][DIRECTORY] 
 Customer service| Info|Power Search|What's New|Directory 」と記載されている。 
　
（ニ）引用例に記載されたウィンドウのタイトルバーには，何れも「Netscape」を含む文字が表示されている。 
　
　以上の記載によれば，引用例には， 
「Netscapeにて世界のショッピングモールのサーバーで商品を選び，商品が届くか購入してみることにし，４つ目のオンラインショッピングはマルチメディアＣＤ−ＲＯＭで，「Ｔｈｅ　Ｉｎｔｅｒｎｅｔ　Ｓｈｏｐｐｉｎｇ　Ｎｅｔｗｏｒｋ　http://www0.internet.net」（ＩＳＮ）で商品を購入するには，ＩＳＮの会員番号を取得しておく必要があり，支払うクレジットカードの情報は，会員申し込みのときに指定し，トップページから商品を検索し，最終的に１つの商品に絞り切り，「個々の商品の仕様を表示するページ」で「WINE GUIDE FOR WINDOWS V1.0」，「Our Part Number:」（品番），「Product Description: 」（製品仕様書），「Product Category: 」（製品カテゴリー），「CPU:」，「Manufacturer:」（製造元），「Manufacturer Part Number:」（製造元品番），「Media: 」（媒体），「Weight」（重さ）「OUR PRICE」（販売価格）を含む，その「Ｓｐｅｃｉｆｉｃａｔｉｏｎｓ」（仕様）を表示させて商品を確認し，該「個々の商品の仕様を表示するページ」では，「☆☆☆」，「［映写機の絵］」，「［ＯＫのロゴ］」が，それぞれ「REVIEWS」，「DEMOS」，「ORDER NOW」との語句を伴って表示され，「注文のページ」では，「Ship to:」（送付先）が「Masanobu Iseri Impress Corp. 20 Sanbancho Chiyoda-ku Tokyo 102 JAPAN」（日本　１０２　東京都千代田区三番町２０　株式会社インプレス　イセリマサノブ）と表示されるとともに，「QTY」（数量），「ITEM」（品目），「PRICE」（価格）が，それぞれ「1」，「WINE GUIDE FOR WINDOWS V1.0」，「$27.21 」と表示され，送付先の情報や支払いクレジットカードなどの情報は，会員登録したときのものが使われ，さらに「注文のページ」には Submit Your Order ボタンが表示される」発明（以下，「引用発明」という。）が記載されている。　
　
４．対比・判断
　「Netscape」は端末装置の画面上にページを表示するためのブラウザソフトウェアであるから，引用発明において，「ページ」が，「情報を表示する端末装置」の画面上に表示されていることは明らかである。 
　次に，引用発明には，「送付先の情報や支払いクレジットカードなどの情報は，会員登録したときのものが使われ」と記載されているから，引用発明の「会員番号」及び，会員登録したときの，少なくとも「送付先の情報」が，それぞれ本願発明の「ユーザの識別情報」及び「ユーザの個人情報」に相当する。また，引用発明が，会員登録によって，「会員番号」と少なくとも「送付先の情報」とを対応付けて記憶手段に登録していることは明らかであるから，引用発明と本願発明とは，「端末装置のユーザの個人情報」「を，そのユーザの識別情報に対応付けて記憶手段に登録」する点で一致する。 
　次に，引用発明において，「個々の商品の仕様を表示するページ」に表示された「WINE GUIDE FOR WINDOWS V1.0」，「Our Part Number:」（品番），「Product Description: 」（製品仕様書），「Product Category: 」（製品カテゴリー），「CPU:」，「Manufacturer:」（製造元），「Manufacturer Part Number:」（製造元品番），「Media: 」（媒体），「Weight」（重さ）「OUR PRICE」（販売価格）などの情報が，本願発明の「商品に関する商品情報」に相当する。
　また，引用発明における上記「個々の商品の仕様」が記憶手段に記憶されていることは明らかである。
　次に，引用発明では，「ＩＳＮで商品を購入するには，ＩＳＮの会員番号を取得しておく必要があり」，「注文のページ」において，「送付先の情報や支払いクレジットカードなどの情報は，会員登録したときのものが使われ」と記載されているから，かかる記載より，引用発明の「注文のページ」において，「Ship to:」（送付先）として表示された「Masanobu Iseri Impress Corp. 20 Sanbancho Chiyoda-ku Tokyo 102 JAPAN」（日本　１０２　東京都千代田区三番町２０　株式会社インプレス　イセリマサノブ）は，会員である「Masanobu Iseri」から，商品購入に必要な「会員番号」を取得し，該「会員番号」に対応する少なくとも「送付先の情報」（会員登録したときのもの）を記憶手段から取得して表示していると解することができる。よって，引用発明と，本願発明とは「端末装置から」「前記ユーザの識別情報を取得し，その取得した識別情報」「に対応する個人情報を前記記憶手段から取得し」ている点で一致する。
　次に，引用発明の「注文のページ」を開くためには，「商品の仕様を表示するページ」において，「ORDER NOW」との語句を伴った「ＯＫ」のロゴを操作すべきことは経験則上明らかであるから，引用発明のかかる「ＯＫ」のロゴと本願発明の「商品を注文するための注文ボタン」とは「商品を注文するための操作対象」である点で一致する。
　次に，前述のとおり，引用発明において「個々の商品の仕様」が記憶手段に記憶されていることは明らかであるから，引用発明の「商品の仕様」と「ORDER NOW」との語句を伴った「ＯＫ」のロゴとが含まれている「商品の仕様を表示するページ」と，本願発明の「第１の画面情報」とは，「商品情報記憶手段に記憶されている商品に関する商品情報，」「および前記商品を注文するための操作対象を含む第１の画面情報」である点で一致する。 
　次に，引用発明において，「ORDER NOW」との語句を伴った「ＯＫ」のロゴを操作することが本願発明の「商品の注文要求」に相当する。そして「ORDER NOW」との語句を伴った「ＯＫ」のロゴを操作することによって表示される「注文のページ」には，注文要求の対象された商品の情報である「ITEM」（品目）及び「PRICE」（価格）と，「送付先の情報」である「Masanobu Iseri Impress Corp. 20 Sanbancho Chiyoda-ku Tokyo 102 JAPAN」（日本　１０２　東京都千代田区三番町２０　株式会社インプレス　イセリマサノブ）とが表示され，しかもこれらの情報が，それぞれ「個々の商品の仕様」を記憶した記憶手段と，会員登録によって「会員番号」と少なくとも「送付先の情報」とを対応付けた記憶手段とから読み出されたものであることは明らかであるから，引用発明の「注文のページ」と本願発明の「第２の画面情報」とは，「前記商品情報記憶手段から読み出された前記注文要求の対象である商品の商品情報，前記記憶手段から取得された前記ユーザの個人情報」「を含む第２の画面情報」である点で一致する。
　
　従って，本願発明と引用発明とは， 
「情報を表示する端末装置に，前記情報を表示させるための表示方法であって，
　前記端末装置のユーザの個人情報を，そのユーザの識別情報に対応付けて記憶手段に登録し，
　取得した識別情報に対応する個人情報を前記記憶手段から取得し，
　前記端末装置からの要求に応じて，商品情報記憶手段に記憶されている商品に関する商品情報，および前記商品を注文するための操作対象を含む第１の画面情報を前記端末装置に表示させ，
　前記ユーザによる前記商品を注文するための操作対象の操作に応じて前記端末装置から前記商品の注文要求を取得した場合，前記商品情報記憶手段から読み出された前記注文要求の対象である商品の商品情報，前記記憶手段から取得された前記ユーザの個人情報を含む第２の画面情報を前記端末装置に表示させる
　ことを特徴とする表示方法。」
　の点で一致し，次の点で相違する。 
　
（相違点１）
　「商品を注文するための操作対象」が，本願発明では「注文ボタン」であるのに対し，引用発明では，「ORDER NOW」との語句を伴った「ＯＫ」のロゴである点。 
　
（相違点２）
　本願発明では，「ユーザの個人情報と認証情報」に「ユーザの識別情報」を対応付けるとともに，「前記ユーザの識別情報と認証情報の入力の要求を前記端末装置に送信して，前記端末装置に前記ユーザの識別情報と認証情報を入力するための第１の入力欄を表示させ，前記端末装置から前記第１の入力欄に入力された前記ユーザの識別情報と認証情報を取得し」ているのに対し，引用発明では，「ユーザの個人情報」を「ユーザの識別情報」に対応付けているものの，「ユーザの個人情報と認証情報」に「ユーザの識別情報」を対応付けることは記載されておらず，また，端末装置から「ユーザの識別情報」を取得しているものの，その具体的方法について記載されていない点。
　
（相違点３）
　「商品情報記憶手段に記憶されている商品に関する商品情報，」「および前記商品を注文するための操作対象を含む第１の画面情報」に，本願発明では，「その商品について前記ユーザから投稿されてくる投稿情報」が含まれているのに対し，引用発明では，「REVIEWS」との語句を伴って「☆☆☆」が表示されているものの，その商品についてユーザから投稿されてくる投稿情報が含まれていない点。
　
（相違点４）
「前記商品情報記憶手段から読み出された前記注文要求の対象である商品の商品情報，前記記憶手段から取得された前記ユーザの個人情報」「を含む第２の画面情報」に，本願発明では，「ユーザの識別情報と認証情報を入力するための第２の入力欄」が含まれているのに対し，引用発明では「ユーザの識別情報と認証情報を入力するための第２の入力欄」が含まれていない点。
　
　そこで，上記相違点について検討すると，
（相違点１について）
　例えば，金　寿美　他３名，ＳｅｒｖｉｃｅＩｓｌａｎｄ：日常生活を支援する仮想空間の提案，情報処理学会研究報告，第９４巻，第５８号，社団法人情報処理学会，１９９４年７月８日，ｐ．９〜１６に「カタログ　本システム上では，カタログは，カタログショッピングのサービスを提供する店に置いてある。このカタログは本の形で実現されており，現行のカタログとほぼ同じ形態をとっている（図４参照）。しかし，現行のものとの最大の違いは，注文ボタンが付いていることである。これにより，利用者は，商品を見て買いたいと思った時にすぐに注文することができる。」（第１３頁左欄第１９行〜同頁右欄第５行），「このメニューもカタログなどと同様に本の形で提供されており，商品の情報を得，商品を選択し，付いているボタンを押すことによって注文書を発行して買物をすることができる。」（第１４頁右欄第２８行〜第１５頁左欄第４行）と記載されているように，「商品を注文するための操作対象」を「注文ボタン」とすることは周知である。
　従って，引用発明において，「ORDER NOW」との語句を伴った「ＯＫ」のロゴを「注文ボタン」とすることは，当業者が適宜なしうることである。
　
（相違点２について） 
　会員番号（ユーザの識別情報）に，暗証番号やパスワード（ユーザの認証情報）を付随させることは普通に知られていることである（例えば，特開平６−１８２０４６号公報の「会員番号（あるいは安全性を考慮して必要に応じて会員番号に付随する暗証番号）」（第４欄第１４〜１５行）なる記載，Ｃｏｍｐｕｔｏｐｉａ，第３０巻，第３５１号，株式会社コンピュータ・エージ社，１９９５年１２月１日発行，第２６〜３２頁，の「そしてクレジットカードのセキュリティ確保の方法については，次のようなレベルに分かれている。（中略）・専用の会員番号を付与する　・専用の会員番号とパスワードを付与する」（第２８頁左欄第１９〜２１行）なる記載参照。）。
　また，会員番号の取得方法として，端末装置に会員番号の入力の要求を送信し，該端末装置に会員番号の入力欄を表示させることは，例えば，パソコン・インターネット徹底活用法，インターネット加入の勧め，コンピュータ＆ネットワークＬＡＮ，第１３巻，第３号，株式会社オーム社，１９９５年３月１日，ｐ．２９〜３３，の第３１頁に「Ｍｏｓａｉｃを使用してインターネットショッピングにアクセス」（図４の説明），「URL://www.internet.net/」，「Please Enter your Membership Code:[　　　　　][SHOP]」（図４）と記載されているように，周知技術である。 
　従って，引用発明において，上記周知技術を適用し，「会員番号」（ユーザの識別情報）に，暗証番号やパスワード（ユーザの認証情報）を付随させ，「会員番号」（ユーザの識別情報）と暗証番号やパスワード（ユーザの認証情報）に，少なくとも「送付先の情報」（ユーザの個人情報）を対応付けるようにするとともに，「会員番号」（ユーザの識別情報）と暗証番号やパスワード（ユーザの認証情報）の入力の要求を端末装置に送信して，前記端末装置に「会員番号」（ユーザの識別情報）と暗証番号やパスワード（認証情報）を入力するための入力欄（第１の入力欄）を表示させ，前記端末装置から入力欄（第１の入力欄）に入力された「会員番号」（ユーザの識別情報）と暗証番号やパスワード（ユーザの認証情報）を取得するようになすことは，当業者にとって容易である。
　
（相違点３について） 
　例えば，「愚留目　都亜，インターネットのある暮らし，LIFE WITH INTERNET，旅の楽しみはやっぱりグルメ，ＩＮＴＥＲＮＥＴ　ｍａｇａｚｉｎｅ Ｎｏ．９，株式会社インプレス，１９９５年１０月１日，第９号，ｐ．１３６〜１４１」に「住所や電話番号などの基本的なデータを提供するほかに，利用者からの投書内容をぺージに入れる形をとっているので，人気のあるレストランを見つけることもできます。」（第１３６頁中欄第５〜８行），「個々のレストランのぺージには， そのレストランの電話番号と住所が記されています。また，利用者からのレビューがあればそれが示されています。もちろん，レビューを入力することもできます。」（第１３７頁右下欄第１２〜１６行）と記載されているように，「利用者からの投書内容（レビュー）をぺージに入れる」ことは周知技術である。 
　従って，引用発明にかかる周知技術を適用し，引用発明において「商品の仕様」と「ORDER NOW」との語句を伴った「ＯＫ」のロゴとが含まれている「商品の仕様を表示するページ」（第１の画面情報）において，「REVIEWS」との語句を伴った「☆☆☆」を表示することに代え，「利用者からの投書内容（レビュー）」（ユーザから投稿されてくる投稿情報）が含まれるようにすることは当業者が容易になし得ることである。
　
（相違点４について）
　注文（オーダー）の画面に「パスワード」入力欄を含ませることは周知技術である（例えば，特開平４−１０１９１号公報の第６図（ｂ），特開平７−２３０５０２号公報の図２７参照。）。
　また，パスワードの入力は，該パスワードを入力した者がユーザ（顧客）本人であるか否かを認証するために行われるのであるから，該パスワードによって認証されるべきユーザ（顧客）が誰であるかを特定するための情報を該パスワードとともにユーザ（顧客）自身に入力させることは当業者が必要に応じ適宜なしうることである。
　よって，引用発明において，上記（相違点１について）にて述べたように「会員番号」（ユーザの識別情報）に暗証番号やパスワード（ユーザの認証情報）を付随させるとともに，上記周知技術を適用し，注文要求の対象された商品の情報である「ITEM」（品目）及び「PRICE」（価格）と，「送付先の情報」である「Masanobu Iseri Impress Corp. 20 Sanbancho Chiyoda-ku Tokyo 102 JAPAN」（日本　１０２　東京都千代田区三番町２０　株式会社インプレス　イセリマサノブ）とが表示された「注文のページ」（第２の画面情報）に，「会員番号」（ユーザの識別情報）と暗証番号やパスワード（ユーザの識別情報）を入力するための入力欄（第２の入力欄）が含まれるようにすることは，当業者にとって容易である。
　
　さらに，本願発明の作用効果も，引用例に記載された事項及び周知技術から当業者が予測できる範囲のものである。 
　
　従って，本願発明は，引用例に記載された発明及び周知技術に基づいて，当業者が容易に発明をすることができたものである。 
　
５．むすび 
　以上のとおり，本願の請求項９に係る発明は，特許法第２９条第２項の規定により特許を受けることができないものである。
　したがって，その余の請求項について論及するまでもなく，本願は拒絶すべきものである。
　よって，結論のとおり審決する。